(57)【要約】【課題】  ネズミのかじり被害を容易、かつ、確実に防止できるようにする。【解決手段】  カプサイシン成分を含有するネズミ忌避用面体及びカプサイシン成分８を含有する樹脂よりなり、一方側面を粘着貼り付け面３とするネズミ忌避用貼り付け具。【選択図】図２
2014183830.tif 000002
【特許請求の範囲】
【請求項１】
カプサイシン成分を含有するネズミ忌避用面体。
【請求項２】
カプサイシン成分を含有する樹脂よりなり、一方側面を粘着貼り付け面とするネズミ忌避用貼り付け具。
【請求項３】
前記カプサイシン成分がマイクロカプセル内に充填された状態で前記樹脂内に含有される請求項２記載のネズミ忌避用貼り付け具。
【請求項４】
他方側面に離形シートが貼り付けられてなる請求項２記載のネズミ忌避用貼り付け具。
【請求項５】
シート形態である請求項２、３または４記載のネズミ忌避用貼り付け具。
【請求項６】
テープ形態である請求項２、３または４記載のネズミ忌避用貼り付け具。
【請求項７】
補強用基布が埋設されている請求項２、３、４、５または６記載のネズミ忌避用貼り付け具。
【発明の詳細な説明】
【技術分野】
【０００１】  この発明は、工場や倉庫等において使用されるネズミ忌避用面体及びネズミ忌避用貼り付け具に関する。
【背景技術】
【０００２】  工場や倉庫においてはネズミによる被害がしばしば発生する。すなわち、壁面がかじられることで穴があいたり、また、電気コードがかじられ切断される被害が発生している。電気コードがかじられた場合には電気機器が作動せず、また、ショートが発生することで火災の危険もある。このようなネズミの被害を回避するためネズミを捕獲するなど種々の方策がとられるが、その成果は十分に得られていない。
【発明の概要】
【発明が解決しようとする課題】
【０００３】  この発明は上記の事情に鑑みて行ったもので、ネズミのかじり被害等を容易、かつ、確実に防止できるようにすることを目的とする。
【課題を解決するための手段】
【０００４】  請求項１の発明では、カプサイシン成分を含有するネズミ忌避用面体を提供する。請求項２の発明では、カプサイシン成分を含有する樹脂よりなり、一方側面を粘着貼り付け面とするネズミ忌避用貼り付け具を提供する。【０００５】  請求項１の発明のネズミ忌避用面体は、カプサイシン成分（辛み）が発散するので、その使用場所付近にネズミが近寄りにくくなり、これにより忌避効果が果たされる。このネズミ忌避用面体は、所望の場所に使用され、例えば、食品などの物品を覆うように用いたり、また、ネズミの通路を遮断するように用いる。カプサイシン成分は種々の方法で面体に付設されればよい。【０００６】  請求項２の発明のネズミ忌避用貼り付け具を所望の箇所に貼り付け面において貼り付け使用することで、貼り付け具からカプサイシン成分（辛み）が発散するので、貼り付け具付近にネズミが近寄りにくくなり、また、ネズミが噛んだ際には口や顔面に大きな刺激を受け、これによりネズミの忌避効果が果たされる。【０００７】  カプサイシン成分をマイクロカプセル内に充填して用いることで、その成分が徐々にマイクロカプセル内から放出されるので忌避効果が持続される。さらに、貼り付け面と逆側の面に離形シートを備えることによっても非使用時のカプサイシン成分の無駄な発散が押さえられ、これによっても忌避効果がより長く保たれるとともに、貼り付け作業もカプサイシン成分の影響を少なくして行える。貼り付け具は粘着貼り付け面を備えるものであれば、シート、テープ等適宜の形態とされればよい。【０００８】  カプサイシン成分を含有する樹脂としては塩化ビニール樹脂等を使用し、粘着貼り付け面に使用する粘着剤としてはアクリル系、ゴム系、シリコーン系のものが使用される。
【発明の効果】
【０００９】  この発明ネズミ忌避用面体、ネズミ忌避用貼り付け具を使用することで、ネズミによるかじり被害等が防止できるようになる。とくに、ネズミ忌避用貼り付け具は所望の場所に貼り付け使用できる点において非常に便利に用いられる。
【図面の簡単な説明】
【００１０】
【図１】  この発明のネズミ忌避用貼り付け具であるネズミ忌避用貼り付けシートの外観斜視図
【図２】  この発明のネズミ忌避用貼り付け具であるネズミ忌避用貼り付けシートの部分拡大断面図
【図３】  この発明のネズミ忌避用貼り付け具であるネズミ忌避用貼り付けシートの使用説明図である。
【図４】  この発明のネズミ忌避用貼り付け具であるネズミ忌避用貼り付けテープの外観斜視図
【図５】  この発明のネズミ忌避用貼り付け具であるネズミ忌避用貼り付けテープの使用説明図である。
【発明の好ましい実施形態】
【００１１】  図１はネズミ忌避用の貼り付けシート（請求項２の発明のネズミ忌避用貼り付け具）の外観斜視図、図２は同部分拡大断面図である。貼り付けシート１は０．５ｍｍ厚で、基材樹脂シート２の裏面側に粘着層３が設けられ、表面側と裏面側とのそれぞれに離形シート５、７が付設されている。離形シート５は密着により、離形シート７は粘着によりそれぞれ付設されている。基材樹脂シート２は塩化ビニール樹脂よりなり、その内部にはカプサイシン粉が充填されたマイクロカプセル８が多数均一に分散されて混入されているとともに、その全体に補強用の基布１０が埋設されている。カプサイシン粉からのカプサイシン成分は均一に分散されたマイクロカプセル８の壁を通して少しずつ基材樹脂シート２内の全体にいきわたり、また、基材樹脂シート２は基布１０が埋設されていてある程度の剛性を持つので取扱いやすく、また、使用時に破損しにくくなっている。
【００１２】  図３は上記貼り付けシート１の使用状態を示す。切断により所定の形態とされた貼り付けシート１は裏面側の離形シート７が剥がされ、その裏面側の粘着層３面がネズミが齧ることによって形成された穴１１を覆うように壁面１２下部に貼り付けられ、その状態において表面側の離形シート５が剥がされて用いられている。
【００１３】  このように貼り付けシート１が貼り付け使用されることで、貼り付けシート１からカプサイシン成分（辛み）が発散するので、貼り付けシート１付近にネズミが近寄りにくくなり、また、ネズミが噛んだ際には口や顔面に大きな刺激を受け、これによりネズミの忌避効果が果たされる。貼り付けシート１は工場、倉庫、一般家屋においてネズミによる被害の想定される場所、部位に所定の形態とされて使用される。
【００１４】  貼り付け作業時にはカプサイシン成分の刺激からの保護のため手袋を使用するが、貼り付けシート１は表面側と裏面側とが離形シート５、７に覆われていることでカプサイシン成分の影響が少ない状態での貼り付け作業が行われる。また、カプサイシン成分はマイクロカプセル８に充填されていてその成分が徐々に基材樹脂シート２内に及びこれにより忌避効果が持続されるが、さらに、両面が離形シート５、７に覆われていることで非使用時のカプサイシン成分の無駄な発散が押さえられ、これによっても忌避効果がより長く保たれる。
【００１５】  図４はネズミ忌避用の貼り付けテープ（請求項２の発明のネズミ忌避用貼り付け具）の外観斜視図である。貼り付けテープ１５は表裏面の離形シート５、７を備えていない点を除いては上記貼り付けシート１とその断面構成を同じとしている。貼り付けテープ１５は、図５に示すように、ネズミに齧られやすい電気コード１６の差し込みコンセント１７の近傍部分を巻くように貼り付けられて取り付けられている。この貼り付けテープ１５も上記貼り付けシート１と同様のネズミの忌避効果を果たし、これにより電気コード１６の齧り損傷が防止される。
【００１６】  次に、ネズミ忌避用面体（請求項１の発明）の実施形態を説明する。面体はカプサイシン成分を含有させた植物繊維や樹脂繊維によって制作される布片、紙片、また、通常に制作された布片、紙片の表面にカプサイシン成分が吹き付け塗布されたものとなる（図示省略）。この面体は大形で使用され、食品工場において梱包食品のカバーシートとして用いられたり、ネズミ通路を遮断するように仕切り体、間仕切りカーテン等として使用されてネズミの忌避効果を発揮する。
【符号の説明】
【００１７】１    ネズミ忌避用貼り付けシート（ネズミ忌避用貼り付け具）
３    粘着層（粘着貼り付け面）
８    マイクロカプセル（カプサイシン成分充填）
【図１】
2014183830.tif 000003
【図２】
2014183830.tif 000004
【図３】
2014183830.tif 000005
【図４】
2014183830.tif 000006
【図５】
2014183830.tif 000007